(57)【特許請求の範囲】
【請求項１】
ガラス繊維糸を経糸及び緯糸として製織したガラス織布から形成されている矩形の画像用シートであって、
前記経糸と前記緯糸との交差角度が直角以外の角度で製織されており、
前記経糸と前記緯糸とが縦辺と横辺との両方に対して直交しない方向にそれぞれ延びる状態で形成されている画像用シート。
【請求項２】
前記経糸と前記緯糸とは、隣接する２つの前記経糸と隣接する２つの前記緯糸とにより囲まれる部分の形状がひし形となる状態で製織されている請求項１に記載の画像用シート。
【請求項３】
前記ひし形の２本の対角線の一方が前記縦辺と平行で、他方が前記横辺と平行となる状態で形成されている請求項２に記載の画像用シート。
【請求項４】
前記経糸と前記緯糸とは、前記経糸と前記緯糸との交差角度が３０度〜６０度となる状態で製織されている請求項１〜３のいずれか一項に記載の画像用シート。
【請求項５】
前記経糸及び前記緯糸の前記縦辺と前記横辺とのそれぞれの交差角度が３０度〜６０度となる状態で形成されている請求項１〜４のいずれか一項に記載の画像用シート。
【請求項６】
請求項１〜５のいずれか一項に記載の画像用シートが矩形の外枠に取り付けられて形成されている広告パネル。
【発明の詳細な説明】
【技術分野】
【０００１】
本発明は、ガラス繊維糸を経糸及び緯糸として製織したガラス織布から形成されている矩形の画像用シート、及び、これを用いた広告パネルに関する。
【背景技術】
【０００２】
ガラス繊維糸を経糸及び緯糸として製織したガラス織布は優れた不燃性を有していることから、このガラス織布を用いて画像用シートを形成し、その画像用シートを駅構内やホテルやデパート等に配設する広告パネルに利用することが試みられている。
【０００３】
ただし、このガラス織布には強度が低いという問題がある。広告パネルを設置したときには風による風圧を一般に受けることになる。この風圧によって広告パネルに用いている画像用シートに張力が働き、また、風圧により画像用シートがはためいたりすることにより、画像用シートに対し様々な方向から引き裂き力が働き、その引き裂き方向に対する強度が弱いと、画像用シートが引き裂けてしまうことになる。これに対し、特開２０１３−２０２２号公報（特許文献１）では、ガラス織布を経糸と緯糸の交差角度が直角以外の角度となるように製織することが提案されている。これにより、引き裂き方向がいずれの方向になっても、その引き裂き方向に対して直交しない方向に沿う姿勢で経糸又は緯糸を存在させることができ、強度を高めることができる。
【先行技術文献】
【特許文献】
【０００４】
【特許文献１】特開２０１３−２０２２号公報
【発明の概要】
【発明が解決しようとする課題】
【０００５】
しかし、特許文献１では、強度を高めたガラス織布を、広告パネルに用いる矩形の画像用シートに用いる場合に関して多くの記載はなく、さらなる改善の余地があるといえる。
【０００６】
そこで、優れた引き裂き強度を有する矩形の画像用シート、及び、これを用いた広告パネルの実現が望まれる。
【課題を解決するための手段】
【０００７】
本発明に係る画像用シートは、
ガラス繊維糸を経糸及び緯糸として製織したガラス織布から形成されている矩形の画像用シートであって、
前記経糸と前記緯糸との交差角度が直角以外の角度で製織されており、
前記経糸と前記緯糸とが縦辺と横辺との両方に対して直交しない方向にそれぞれ延びる状態で形成されている。
【０００８】
発明者は、矩形の画像用シートをパネルの外枠に取り付けて広告パネルとした場合、その風圧により画像用シートに対して生じる引き裂けにおいて、特に、画像用シートの端から画像用シートの縦辺及び横辺（即ちパネルの外枠の縦辺及び横辺）に対してそれぞれ垂直な方向の引き裂けが生じ易く、これを防ぐ必要性が高いことを見出した。さらに、発明者は、経糸と緯糸との交差角度を直角以外の角度とするほかに、経糸と緯糸とが画像用シートの縦辺と横辺との両方に対して直交しない方向に延びる状態とすることで、画像用シートの縦辺及び横辺に対してそれぞれ垂直な方向における引き裂き強度を高められることを見出した。つまり、引き裂き方向となりやすい縦辺及び横辺に対して垂直な方向に対して、縦辺及び横辺のいずれについてもこれに直交しない方向に沿う姿勢で経糸又は緯糸を存在させることができ、その結果、縦辺及び横辺に対してそれぞれ垂直な方向における引き裂き強度を高めることができる。そして、上記構成によれば、発明者が知見により見出した構造を採用することにより、引き裂けが生じ易い方向に対して優れた引き裂き強度を有する画像用シートを実現することができる。
【０００９】
以下、本発明に係る画像用シートの好適な態様について説明する。但し、以下に記載する好適な態様例によって、本発明の範囲が限定される訳ではない。
【００１０】
１つの態様として、前記経糸と前記緯糸とは、隣接する２つの前記経糸と隣接する２つの前記緯糸とにより囲まれる部分の形状がひし形となる状態で製織されていると好適である。
【００１１】
通常、隣接する２つの経糸と隣接する２つの緯糸とにより囲まれる部分の形状は平行四辺形となるところ、本構成では、特にその部分の形状が平行四辺形のうちでもさらにひし形になるように製織されている。これにより対称性が高められて、画像用シートにかかる力の偏りを抑制でき、引き裂き強度が効果的に高められる。
【００１２】
１つの態様として、前記ひし形の２本の対角線の一方が前記縦辺と平行で、他方が前記横辺と平行となる状態で形成されていると好適である。
【００１３】
この構成によれば、特に、縦辺及び横辺に対してそれぞれ垂直な方向における対称性を効果的に高めることができ、これにより、一層効果的に引き裂き強度を高めることができる。
【００１４】
１つの態様として、前記経糸と前記緯糸とは、前記経糸と前記緯糸との交差角度が３０度〜６０度となる状態で製織されていると好適である。
【００１５】
このような角度範囲であれば、一層効果的に引き裂き強度を高めることができる。
【００１６】
１つの態様として、前記経糸及び前記緯糸の前記縦辺と前記横辺とのそれぞれの交差角度が３０度〜６０度となる状態で形成されていると好適である。
【００１７】
このような角度範囲であれば、一層効果的に引き裂き強度を高めることができる。
【００１８】
本発明に係る広告パネルは、
上記画像用シートが矩形の外枠に取り付けられて形成されている。
【図面の簡単な説明】
【００１９】
【図１】広告パネルの正面図
【図２】広告パネルに用いる画像用シートの正面図
【図３】図２における領域ＩＩＩの拡大図
【図４】経糸と緯糸の配置関係を示す説明図
【図５】図２における領域Ｖの拡大図
【図６】図２における領域ＶＩの拡大図
【図７】画像用シートの断面図
【発明を実施するための形態】
【００２０】
本発明に係る画像用シート、及び、広告パネルの実施形態について、図面を参照して説明する。図１は本実施形態に係る広告パネル１を示す。広告パネル１は、駅構内やホテルやデパート等に配設されるものであり、矩形の外枠１０に、矩形の画像用シート２０が取り付けられて形成されている。具体的には、図２に示すように、画像用シート２０にはその周縁に取付孔２１が設けられており、これに対し、外枠１０の内側にはその対応位置に図示しない保持部が設けられている。そして、画像用シート２０の取付孔２１に外枠１０の保持部を取り付けることにより画像用シート２０を外枠１０に対して固定して、これにより広告パネルが形成されている。
【００２１】
本実施形態の画像用シート２０は、設置場所で火災が発生したときに火災の拡大を抑制するため、不燃性を備えたものとなっている。そして、広告パネル１に利用するために、表面に広告用の画像を印刷可能となっており、広告パネル１の裏側から照明光を当てたときに照明光が適切に透過するように、適当な光透過性と光拡散性とを有するものとなっている。つまり、閲覧者が十分な明るさで広告パネル１を観賞できるような光透過性を有し、また、照明光の光源が透けることなく画像用シート２０内で照明光が適度に拡散するような光拡散性を有している。
【００２２】
具体的に図３を用いて説明すると、まず、不燃性を備えたものとするため、本実施形態の画像用シート２０は、不燃性を備えた素材であるガラス繊維糸を経糸３１及び緯糸３２として製織した一層のガラス織布３０を用いている。そして、広告用の画像を印刷可能とするため、画像用シート２０は、ガラス織布３０に対して樹脂材料４０がコーティングされて形成されている。詳しくは、ガラス織布３０に対して樹脂材料４０としてのウレタン系樹脂４１を含浸させてウレタン系樹脂４１でガラス織布３０をコーティングした上で、その上から樹脂材料４０としてのアクリル系樹脂４２を塗布してコーティングしてある。その際、アクリル系樹脂４２に光拡散材としてのシリカ等が適量混入されており、これにより、所望の光拡散性を有するものとなっている。そして、ガラス織布３０及び樹脂材料４０は半透明色又は乳白色となっており、適度な光透過性を有している。
【００２３】
ガラス織布３０に用いるガラス繊維糸の太さや織密度は特に限定されないが、例えば、本実施形態では、ガラス織布３０は、多数本の単繊維を用いて構成された６０〜８０ＴＥＸ（ＴＥＸ＝１０００×糸の重さ（ｇ）／糸の長さ（ｍ））のガラス繊維糸を用いて、所定の織密度（例えば、経糸３１が４５〜５５本／２５ｍｍ、緯糸３２が４５〜５５本／２５ｍｍ）で構成されている。また、画像用シート２０の全体の厚さは特に限定されないが、１００〜１０００μｍ程度とすることができ、適度な光透過性を有することができる厚さとすることが好ましい。その他、本実施形態では一層のガラス織布３０を用いているが、複数層用いてもよく、また、コーティングする樹脂材料４０は特に限定されず種々のものを用いることができ、１層のみ又は３層以上コーティングしてもよい。
【００２４】
本実施形態の画像用シート２０は、不燃性と適度な光透過性及び光拡散性を有しているため、広告パネル１に好適に用いることができる。ただし、矩形の画像用シート２０をパネルの外枠１０に取り付けて広告パネル１とした場合、その風圧により画像用シート２０に対して引き裂けが生じるおそれがあり、特に画像用シート２０の縦辺２２及び横辺２３からそれぞれの垂直な方向にむかって引き裂けが生じ易い。そのため、本実施形態における画像用シート２０では、このような引き裂けに対する引き裂き強度を高めるための構成が採用されている。以下、この構成について具体的に説明する。
【００２５】
まず、図３に示すように、画像用シート２０に用いるガラス織布３０では、経糸３１どうし及び緯糸３２どうしはそれぞれ互いに平行に製織されているが、このとき、経糸３１と緯糸３２との交差角度αが直角以外の角度となるように製織されている。これにより、引き裂き方向がいずれの方向になっても、その引き裂き方向に対して直交しない方向に沿う姿勢で経糸３１又は緯糸３２を存在させることができ、強度を高めることができる。なお、経糸３１と緯糸３２とは、経糸３１と緯糸３２との交差角度が３０度〜６０度となる状態で製織されていると好適であり、本実施形態では６０度としてある。
【００２６】
また、図４に示すように、ガラス織布３０では、経糸３１と緯糸３２とは、隣接する２つの経糸３１と隣接する２つの緯糸３２とにより囲まれる部分（つまり、一方の経糸３１と２つの緯糸３２との各交点と、他方の経糸３１と２つの緯糸３２との各交点との４つの交点を頂点とする四角形の部分）の形状がひし形となる状態で製織されている。これにより対称性が高められて、画像用シート２０にかかる力の偏りを抑制でき、引き裂き強度が効果的に高められる。
【００２７】
そして、このガラス織布３０を用いて、本実施形態の画像用シート２０は、図５，６に示すように、経糸３１と緯糸３２とが画像用シート２０の縦辺２２と横辺２３との両方に対して直交しない方向にそれぞれ延びる状態で形成されている。つまり、経糸３１と縦辺２２との交差角度β１、経糸３１と横辺２３との交差角度β２、緯糸３２と縦辺２２との交差角度β３、及び、緯糸３２と横辺２３との交差角度β４が、それぞれ９０度より小さい角度となっている。これにより、引き裂き方向となりやすい縦辺２２及び横辺２３に対して垂直な方向に対して、縦辺２２及び横辺２３のいずれについてもこれに直交しない方向に沿う姿勢で経糸３１又は緯糸３２を存在させることができ、その結果、縦辺３１及び横辺３２に対してそれぞれ垂直な方向における引き裂き強度を高めることができる。なお、経糸３１及び緯糸３２の縦辺２２と横辺２３とのそれぞれの交差角度β１〜β４が３０度〜６０度となる状態で形成されていると好適であり、本実施形態では、交差角度β１は３０度、経糸３１と横辺２３との交差角度β２は６０度、緯糸３２と縦辺２２との交差角度β３は３０度、緯糸３２と横辺２３との交差角度β４は６０度としてある。
【００２８】
また、本実施形態では、隣接する２つの経糸３１と隣接する２つの緯糸３２とにより形成されるひし形の２本の対角線の一方（縦方向の対角線ｄ１）が縦辺２２と平行で、他方（横方向の対角線ｄ２）が横辺２３と平行となる状態で形成されている。これにより、縦辺２２及び横辺２３に対してそれぞれ垂直な方向における画像用シート２０（ガラス織布３０）の対称性を効果的に高めることができ、これにより、一層効果的に引き裂き強度を高めることができる。
【００２９】
このように経糸３１と緯糸３２とが延びる状態となる画像用シート２０とする方法としては、例えば、経糸３１の縦辺２２と横辺２３との交差角度が上記のβ１，β２となる状態（つまり、本実施形態では縦方向に対して交差角度β１又は横方向に対して交差角度β２だけ経糸３１を傾けた状態）で経糸３１を並列させて、これに対して、緯糸３２の縦辺２２と横辺２３との交差角度が上記のβ３，β４となる状態（つまり、本実施形態では縦方向に対して交差角度β３又は横方向に対して交差角度β４だけ緯糸３２を傾けた状態）で緯糸３２を打ち込むことでガラス織布２０を織製して（いわば、変形平織り）、このガラス織布３０を画像用シート２０に用いる方法が挙げられる。また、縦方向と平行に経糸３１を並べておき、それに対して所定の交差角度αとなる方向に緯糸３２を打ち込んでガラス織布３０を織製しておき、経糸３１と緯糸３２との縦辺２２及び横辺２３に対する配置が上記の交差角度β１〜β４の状態となるように、そのガラス織布３０から画像用シート２０用のガラス織布３０を切り出す方法も考えられる。
【００３０】
なお、本実施形態では、画像用シート２０を外枠１０に取り付ける形態を例に説明したが、外枠１０を用いることなく、画像用シート２０を取付孔２１によりそのまま所望の場所に取り付けるといった形態での使用も可能である。また、画像用シート２０を外枠や所定位置に取り付ける形態は特に限定されず、外枠１０や所定箇所に設置するのに用いることのできる形態であればよい。例えば、外枠１０等に設けたクランプ具により画像用シート２０の端縁を挟む形態や、画像用シート２０の端縁を袋状にしてその内部にパイプを通し、このパイプを利用する形態等が挙げられる。そして、本実施形態では説明を簡単にするために画像用シート２０の端縁を折り返していないものを示したが、端縁を折り返したり、端縁部分にのみさらに画像用シート２０を貼り付ける等により端縁を二重にすることにより強度を高め、取付孔２１やクランプ具、パイプを介して特に負荷のかかる端縁を補強してもよく、また、端縁を二重にする以外にもその他の補強を加えた状態で外枠１０や所定箇所に設置するようにしてもよい。
【００３１】
その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００３２】
本発明は、例えば画像用シートに利用することができる。
【符号の説明】
【００３３】
１      広告パネル
１０    外枠
２０    画像シート
２２    縦辺
２３    横辺
３０    ガラス織布
３１    経糸
３２    緯糸
【図１】
0006660768.tif 000002
【図２】
0006660768.tif 000003
【図３】
0006660768.tif 000004
【図４】
0006660768.tif 000005
【図５】
0006660768.tif 000006
【図６】
0006660768.tif 000007
【図７】
0006660768.tif 000008